(57)【特許請求の範囲】
【請求項１】
エンジンにリヤエンドプレートを介してクラッチハウジングを取り付けてある作業機であって、
前記リヤエンドプレートを一枚の板材で構成し、このリヤエンドプレートを構成する板材にクラッチハウジングよりも外側にはみ出す延長部を備え、
前記リヤエンドプレートの左右幅を、エンジンルームの左右幅とほぼ同じに設定して、前記延長部の左右側部に、エンジンルームの後部に配置させる正面視形状門形のフレームを取り付けるための支持部を備えさせてあることを特徴とする作業機。
【請求項２】
前記リヤエンドプレートの正面視外郭形状をほぼ矩形に形成してある請求項１記載の作業機。
【請求項３】
前記延長部に、エンジンルームの後部のうちリヤエンドプレートよりも上方に位置する部分とその後部の運転部とを区画する隔壁板を取り付けるための連結部を備えさせてある請求項１又は２記載の作業機。
【請求項４】
前記延長部により、エンジンルームとその後部の運転部とを区画するようにしてある請求項１又は２記載の作業機。
【請求項５】
前記リヤエンドプレートの上端とエンジンルームの上端との間に機器設置用の間隙を形成してある請求項１〜３のいずれか１項記載の作業機。
【請求項６】
運転部を覆うキャビンを設けてある請求項１〜５のいずれか１項記載の作業機。
【発明の詳細な説明】
【０００１】
【発明の属する技術分野】
本発明は、トラクタなどの作業機で、詳しくは、エンジンにリヤエンドプレートを介してクラッチハウジングを取り付けてある作業機に関する。
【０００２】
【従来の技術】
従来のこの種の作業機では、エンジンルームの後部に配置させる正面視形状門形のフレームや、ステアリングジョイント軸などを支持させるに、エンジンやクラッチハウジングなどにステーを取り付け、このステーにフレームやステアリングジョイント軸などを取りつけていた。
また、作業機、特に、運転部をキャビンで覆ってある作業機では、運転環境を良好なものにする上で、エンジン騒音が後部の運転部に伝わることや、エンジンの熱が運転部に伝わることを抑制する必要がある。そこで、従来では、エンジンやクラッチハウジングなどにステーを取り付け、このステーに防音板や防熱板などの隔壁板を取り付けていた。
【０００３】
【発明が解決しようとする課題】
しかし、上記従来の技術によるときは、フレームやステアリングジョイント、防音・防熱用などの隔壁板を設置するためにステーを設ける必要があることで構造が複雑なものとなっていた。
【０００４】
本発明の目的は、構造の簡素化を図る点にある。
【０００５】
【課題を解決するための手段】
請求項１に係る本発明の作業機の特徴・作用・効果は次の通りである。
【０００６】
〔特徴〕
エンジンにリヤエンドプレートを介してクラッチハウジングを取り付けてある作業機であって、
前記リヤエンドプレートを一枚の板材で構成し、このリヤエンドプレートを構成する板材にクラッチハウジングよりも外側にはみ出す延長部を備え、
前記リヤエンドプレートの左右幅を、エンジンルームの左右幅とほぼ同じに設定して、前記延長部の左右側部に、エンジンルームの後部に配置させる正面視形状門形のフレームを取り付けるための支持部を備えさせてあることを特徴とする。
【０００７】
〔作用〕
リヤエンドプレートは、エンジンにクラッチハウジングを連結させる上で、十分な強度・剛性を有する厚肉なものであるとともに、エンジンルームとその後部の運転部との境界近く位置するものであることに着目して、このリヤエンドプレートに、クラッチハウジングよりも外側にはみ出す延長部を備えさせることにより、従来ではエンジンにクラッチハウジングを連結させるだけのもと考えられていたリヤエンドプレートに、フレームやステアリングジョイント、防音板、防熱板などを取り付ける機能や、エンジン騒音が後部の運転部に伝わることを抑制する防音機能、エンジンの熱が後部の運転部に伝わることを抑制する防熱機能を持たせて、リヤエンドプレートの多機能化を図った。
つまり、延長部がクラッチハウジングから外側にはみ出すことでこの延長部が取り付け部や防音板、防熱板などとして機能する。
また、リヤエンドプレートの左右幅をエンジンルームの左右幅とほぼ同じに設定してあるから、リヤエンドプレートの左右端とエンジンルームの左右端との間隙、つまり、エンジンルームから運転部への騒音や熱の伝達径路となる間隙を小さく、或いは、零にすることができる。
さらに、リヤエンドプレートとフレームとが近くに配置することに着目して、延長部に支持部を備えさせることにより、フレームを延長部に取り付けることができるようにしてあるから、フレームを取り付けるためのステーが不要である。
【０００８】
〔効果〕
従って、フレームやステアリングジョイント、防音板、防熱板の取り付け部を構成する上でステーが不要となり、ひいては、防音、防熱を行いながらも防音板、防熱板が不要となって、構造の簡素化を図ることができるようになった。
また、リヤエンドプレートによる防音や防熱などの区画性能を優れたものにすることができる。
さらに、構造簡単にフレームを取り付けることができるようになった。
【０００９】
【００１０】
【００１１】
【００１２】
【００１３】
請求項２に係る本発明の作業機の特徴・作用・効果は次の通りである。
【００１４】
〔特徴〕
上記請求項１に係る本発明の作業機において、前記リヤエンドプレートの正面視外郭形状をほぼ矩形に形成してある点にある。
【００１５】
〔作用〕
リヤエンドプレートの正面視外郭形状をほぼ矩形に形成してあるから、リヤエンドプレートの外郭形状が複雑な場合に比較して、大きな鋼板などからリヤエンドプレートを切り出す際の歩留まりをよいものにすることができる。
【００１６】
〔効果〕
従って、低コストで実施しやすい。
【００１７】
【００１８】
【００１９】
【００２０】
【００２１】
請求項３に係る本発明の作業機の特徴・作用・効果は次の通りである。
【００２２】
〔特徴〕
上記請求項１や２に係る本発明の作業機において、前記延長部に、エンジンルームの後部のうちリヤエンドプレートよりも上方に位置する部分とその後部の運転部とを区画する隔壁板を取り付けるための連結部を備えさせてある点にある。
【００２３】
〔作用〕
リヤエンドプレートの延長部に連結部を備えさせることにより、防音板や防熱板などエンジンルームと運転部とを区画する隔壁板を延長部に取り付けるようにしてあるから、隔壁板を取り付けるためのステーが不要である。
【００２４】
〔効果〕
従って、防音板や防熱板などの隔壁板を構造簡単に設けることができるようになった。
【００２５】
請求項４に係る本発明の作業機の特徴・作用・効果は次の通りである。
【００２６】
〔特徴〕
上記請求項１や２に係る本発明の作業機において、前記延長部により、エンジンルームとその後部の運転部とを区画するようにしてある点にある。
【００２７】
〔作用〕
リヤエンドプレートが厚肉なもので防音板や防熱板などとしての機能を備えていることに着目して、延長部によりエンジンルームと運転部とを区画するようにしてあるから、エンジン騒音や熱が運転部に伝わることを抑制する上で防音板や防熱板を設ける必要がない。
【００２８】
〔効果〕
従って、防音や防熱を構造簡単に行えるようになった。
【００２９】
請求項５に係る本発明の作業機の特徴・作用・効果は次の通りである。
【００３０】
〔特徴〕
上記請求項１や２、３に係る本発明の作業機において、前記リヤエンドプレートの上端とエンジンルームの上端との間に機器設置用の間隙を形成してある点にある。
【００３１】
〔作用〕
エンジンルームの上部を覆うボンネットに形成の口から外気を吸い込んで運転部に設置した空調機のファンコイルユニットに導く吸気ダクトや燃料タンクなどの各種機器を設置するための間隙をリヤエンドプレートの上端とエンジンルームの上端との間に形成してあるから、リヤエンドプレートに延長部を備えさせてリヤエンドプレートの多機能化を図りながらも、作業機の仕様に対応した機器を選んで設置することができる。
【００３２】
〔効果〕
従って、構造の簡素化を図りながらも、作業機の各種仕様に良好に対応することができるようになった。
【００３３】
請求項６に係る本発明の作業機の特徴・作用・効果は次の通りである。
【００３４】
〔特徴〕
上記請求項１や２、３、４、５に係る本発明の作業機において、運転部を覆うキャビンを設けてある点にある。
【００３５】
〔作用〕
リヤエンドプレートに延長部を備えさせて防音、防熱などの機能を構造簡単に得ることができるようにしてあって、運転部を覆うキャビンを設けてある作業機に好適であることに着目して、運転部を覆うキャビンを設けてあるから、運転環境を改善できる。
【００３６】
〔効果〕
従って、運転環境を優れたものにできるようになった。
【００３７】
【発明の実施の形態】
作業機の一例であるトラクタは、図１に示すように、左右一対の操向用の駆動前輪１と左右一対の駆動後輪２とを備えた機体の前部にエンジン３を搭載し、後部に運転部４を搭載して構成されている。
【００３８】
前記エンジン３の後面には、図２に示すように、クラッチハウジング５がリヤエンドプレート６を介して取り付けられている。詳しくは、エンジン３の後面にリヤエンドプレート６が図示しない複数のボルトで取り付けられており、このリヤエンドプレート６にクラッチハウジング５のフランジ部が複数のボルト８で取り付けられている。つまり、リヤエンドプレート６には、図３、図４に示すように、それのエンジン３への取り付け用の複数のボルト挿通孔７ａとクラッチハウジング取り付け用の複数のボルト挿通孔８ａとが形成されている。もちろん、リヤエンドプレート６の中央部には、エンジン３の出力軸（クランク軸）３ａを挿通させる孔６Ａが形成されている。
【００３９】
前記運転部４はキャビン９で覆われている。
【００４０】
前記リヤエンドプレート６は、図２〜図４に示すように、クラッチハウジング５よりも上側及び左右外側にはみ出す延長部１０を備えている。そして、その正面視外郭形状はほぼ矩形に形成されており、その左右幅は、上部を開閉操作自在なボンネット１１で覆われかつ左右両側部のそれぞれをサイドカバー１２で覆われたエンジンルーム１３の左右幅とほぼ同じに設定されている。
【００４１】
前記延長部１０のはみ出し長さのうち上側へのはみ出し長さは、リヤエンドプレート６の上端とエンジンルーム１３の上端との間に機器設置用の間隙を残す値に設定されている。
【００４２】
前記間隙に設置される機器は、図２に示すように、前記ボンネット１１に形成の吸気孔１１ａからフィルタｆを介して外気を吸気して前記運転部４に設置した空調機のファンコイルユニットＦに導く吸気ダクトＡである。
前記吸気ダクトＡ及びファンコイルユニットＦはカバーＫで覆われており、カバーＫには計器盤Ｍが装備されている。
【００４３】
そして、前記リヤエンドプレート６の延長部１０のうち左右両側部のそれぞれには、図５にも示すように、前記エンジンルーム１３の後部に配置させる正面視形状門形のフレーム１４の左右の柱脚部１４ａをボルト・ナット１５で取り付けるための支持部であるところの複数のボルト挿通孔１６が形成されている。詳しくは、柱脚部１４ａにブラケット部材２６を固着し、このブラケット部材２６を延長部１０にボルト・ナット１５で取り付けることにより、フレーム１４を延長部１０に取り付けてある。なお、前記ブラケット部材２６には、上方に延びる延長ブラケット部２６ａが連設されている。また、前記フレーム１４には、前記ボンネット１１を開閉自在に支持する左右一対のヒンジ部材１４ｂが固着されている。
【００４４】
また、前記延長部１０のうち上端部には、エンジンルーム１３の後部のうちリヤエンドプレート６よりも上方に位置する部分と運転部４とを区画する防音・防熱用の隔壁板１７をボルト・ナット１８で取り付けるための連結部であるところの複数のボルト挿通孔１９が形成されている。なお、隔壁板１７は、前記延長ブラケット部２６ａにもボルト・ナットを介して固定されている。つまり、延長ブラケット部２６ａには、隔壁板１７をボルト・ナットを介して取り付けるためのボルト挿通孔２７が形成されている。
【００４５】
前記隔壁板１７は、前記吸気ダクトＡを回避するように前方に折り曲げ延設されている。
【００４６】
更に、前記延長部１０には、図６に示すように、前記運転部４に設置したステアリングハンドル２０に前記駆動前輪１を操向作動させる図示しないステアリング装置を連動させる機構のうち、延長部１０に形成の孔２３を挿通するステアリングハンドル軸２１にユニバーサルジョイント２２を介して連動する一方、ステアリング装置への伝動軸にユニバーサルジョイントを介して連動する中間伝動軸２４を回転自在に支持するブラケット２５がボルト止めされている。
２８は、前記リヤエンドプレート６に取り付けたセルモータであり、そのピニオン軸は、リヤエンドプレート６に形成の孔２９を通してクラッチハウジング５内に突出している。
【００４７】
〔別実施形態〕
上記実施の形態では、隔壁板１７を設けて防音・防熱を行ったが、図７に示すように、リヤエンドプレート６をエンジンルーム１３の上端まで延長させて、この延長部１０により、エンジンルーム１３と運転部４とを区画するようにしても良い。
【００４８】
本発明は各種の作業機に適用することができる。
【図面の簡単な説明】
【図１】  作業機（トラクタ）の側面図
【図２】  要部の縦断側面図
【図３】  要部の正面図
【図４】  要部の背面図
【図５】  要部の分解斜視図
【図６】  要部の縦断側面図
【図７】  別実施形態を示す要部の縦断側面図
【符号の説明】
３    エンジン
４    運転部
５    クラッチハウジング
６    リヤエンドプレート
９    キャビン
１０  延長部
１３  エンジンルーム
１４  フレーム
１６  支持部
１７  隔壁板
１９  連結部
【図１】
0004303851.tif 000002
【図２】
0004303851.tif 000003
【図３】
0004303851.tif 000004
【図４】
0004303851.tif 000005
【図５】
0004303851.tif 000006
【図６】
0004303851.tif 000007
【図７】
0004303851.tif 000008